(57)【要約】【課題】輝度の低下を抑えて薄型化を図るとともに、副鏡および発光管が脱落し難く振動や衝撃に対する耐性が高い光源装置およびプロジェクターを提供すること。【解決手段】光源装置１０は、発光部２２を有する発光管２０と、所定の平面Ｓで切断したとき一方側が削除された形状を有し、発光部２２から射出される光を被照明領域側に反射するリフレクター３０と、発光管２０の一方側に配置され、発光部２２から一方側に射出される光を発光部２２側に反射する副鏡４０と、被照明領域側とは反対側に配置され、リフレクター３０の外面側と副鏡４０の外面側とに跨るように設けられた保持部材５０とを備え、リフレクター３０および副鏡４０と保持部材５０との間には、接着剤Ｃが配置されている。【選択図】図３
2011119049.tif 000002
【特許請求の範囲】
【請求項１】
発光部を有する発光管と、
所定の平面で切断したとき一方側が削除された形状を有し、前記発光部から射出される光を被照明領域側に反射するリフレクターと、
前記発光管の前記一方側に配置され、前記発光部から前記一方側に射出される光を前記発光部側に反射する副鏡と、
前記被照明領域側とは反対側に配置され、前記リフレクターの外面側と前記副鏡の外面側とに跨るように設けられた保持部材と、を備え、
前記リフレクターおよび前記副鏡と、前記保持部材と、の間には、接着剤が配置されていることを特徴とする光源装置。
【請求項２】
請求項１に記載の光源装置であって、
前記発光管は、前記発光部の前記被照明領域側とは反対側に照明光軸に沿って延在する封止部を有し、
前記リフレクターは、前記封止部を固定するための第１の基部を有し、
前記副鏡は、前記副鏡を前記封止部に固定するための第２の基部を有し、
前記保持部材は、前記第２の基部の外面側から前記第１の基部の外面側の少なくとも一部に亘って設けられていることを特徴とする光源装置。
【請求項３】
請求項２に記載の光源装置であって、
前記保持部材は、前記第１の基部の外面側と前記第２の基部の外面側とを覆うように設けられていることを特徴とする光源装置。
【請求項４】
請求項３に記載の光源装置であって、
前記保持部材は、前記第１の基部、前記第２の基部、および前記封止部の前記被照明領域側とは反対側の端面をさらに覆うように設けられていることを特徴とする光源装置。
【請求項５】
請求項１から４のいずれか一項に記載の光源装置であって、
前記保持部材は、メッシュ状であることを特徴とする光源装置。
【請求項６】
請求項１から５のいずれか一項に記載の光源装置であって、
前記保持部材は、前記副鏡および前記リフレクターよりも熱伝導率が高い材料からなることを特徴とする光源装置。
【請求項７】
請求項１から６のいずれか一項に記載の光源装置を備える照明装置と、
前記照明装置からの照明光を画像情報に応じて変調する電気光学変調装置と、
前記電気光学変調装置からの変調光を投写する投写レンズと、
を備えていることを特徴とするプロジェクター。
【発明の詳細な説明】
【技術分野】
【０００１】
本発明は、光源装置およびプロジェクターに関する。
【背景技術】
【０００２】
従来、プロジェクターに用いる光源装置として、発光部を有する発光管と、所定の平面で切断したとき一方側が削除された形状を有し、発光部から射出される光を被照明領域側に反射するリフレクターと、発光管における発光部の一方側に配置され、発光部から射出される光を発光部側に反射する副鏡とを備える光源装置が知られている（例えば、特許文献１参照）。
【０００３】
このような構成によれば、リフレクターの一方側が削除されることで薄型化が図られ、その一方で、発光部の一方側に副鏡を配置して発光部から射出される光を有効利用することで輝度の低下が抑えられる。このような光源装置では、例えば、副鏡が接着剤によって発光管に固着されており、発光管が接着剤によってリフレクターに固着されている。
【先行技術文献】
【特許文献】
【０００４】
【特許文献１】特開２００７−３３５１９６号公報
【発明の概要】
【発明が解決しようとする課題】
【０００５】
しかしながら、上記のような構成を有する光源装置では、リフレクターの一方側、すなわち副鏡の位置する側が削除されているので、副鏡が発光管に固着されていても、副鏡の発光管とは反対側はリフレクター等により支持されていない状態となる。そのため、副鏡が発光管から脱落し易く、振動や衝撃に対する耐性が低いという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る光源装置は、発光部を有する発光管と、所定の平面で切断したとき一方側が削除された形状を有し、前記発光部から射出される光を被照明領域側に反射するリフレクターと、前記発光管の前記一方側に配置され、前記発光部から前記一方側に射出される光を前記発光部側に反射する副鏡と、前記被照明領域側とは反対側に配置され、前記リフレクターの外面側と前記副鏡の外面側とに跨るように設けられた保持部材と、を備え、前記リフレクターおよび前記副鏡と、前記保持部材と、の間には、接着剤が配置されていることを特徴とする。
【０００８】
この構成によれば、リフレクターの一方側が削除されて薄型化されているが、発光管の発光部から一方側に射出される光は副鏡により反射され有効利用される。したがって、輝度の低下を抑えて薄型化を図ることが可能となる。ここで、被照明領域側とは反対側に、リフレクターの外面側と副鏡の外面側とに跨るように保持部材が設けられており、リフレクターおよび副鏡と保持部材との間には接着剤が配置されている。このため、副鏡とリフレクターとは、保持部材および接着剤により互いに固定される。これにより、副鏡が脱落し難くなるとともに、振動や衝撃に対する耐性が向上する。この結果、輝度の低下を抑えて薄型化を図るとともに、副鏡が脱落し難く振動や衝撃に対する耐性が高い光源装置を提供できる。
【０００９】
［適用例２］上記適用例に係る光源装置であって、前記発光管は、前記発光部の前記被照明領域側とは反対側に照明光軸に沿って延在する封止部を有し、前記リフレクターは、前記封止部を固定するための第１の基部を有し、前記副鏡は、前記副鏡を前記封止部に固定するための第２の基部を有し、前記保持部材は、前記第２の基部の外面側から前記第１の基部の外面側の少なくとも一部に亘って設けられていることが好ましい。
【００１０】
この構成によれば、発光管は封止部においてリフレクターの第１の基部に固定され、副鏡は第２の基部において発光管の封止部に固定される。さらに、第２の基部の外面側から第１の基部の外面側の少なくとも一部に亘って、保持部材が設けられるとともに接着剤が配置されている。このため、発光管とリフレクターと副鏡とが、保持部材および接着剤により一体として固定され保持される。これにより、副鏡および発光管の脱落を抑え振動や衝撃に対する耐性を向上させることができる。
【００１１】
［適用例３］上記適用例に係る光源装置であって、前記保持部材は、前記第１の基部の外面側と前記第２の基部の外面側とを覆うように設けられていることが好ましい。
【００１２】
この構成によれば、保持部材が第１の基部の外面側と第２の基部の外面側とを覆っているので、接着剤が配置される領域をより大きくすることができる。これにより、リフレクターと副鏡とがより強固に固定されるので、副鏡および発光管の脱落をより確実に抑え、振動や衝撃に対する耐性をより向上させることができる。
【００１３】
［適用例４］上記適用例に係る光源装置であって、前記保持部材は、前記第１の基部、前記第２の基部、および前記封止部の前記被照明領域側とは反対側の端面をさらに覆うように設けられていることが好ましい。
【００１４】
この構成によれば、被照明領域側とは反対側において、リフレクターの第１の基部の端面、副鏡の第２の基部の端面、および発光管の封止部の端面が、保持部材と接着剤とにより互いに固定される。このため、照明光軸に沿った方向に振動や衝撃が加えられた場合でも、リフレクター、副鏡、および発光管を一体として固定して保持できる。これにより、副鏡および発光管の脱落をより一層確実に抑え、振動や衝撃に対する耐性をより一層向上させることができる。また、発光管の被照明領域側とは反対側に保持部材と接着剤とが配置されるので、発光部から射出される光のうち被照明領域側とは反対側に漏れる光を抑えることができる。
【００１５】
［適用例５］上記適用例に係る光源装置であって、前記保持部材は、メッシュ状であることが好ましい。
【００１６】
この構成によれば、保持部材がメッシュ状であるので、板状部材等を用いる場合に比べて、同じ領域を覆う構成であっても重量を軽くすることができる。また、接着剤がメッシュの開口部に回り込むので、接着剤の剥がれ落ちが抑えられる。
【００１７】
［適用例６］上記適用例に係る光源装置であって、前記保持部材は、前記副鏡および前記リフレクターよりも熱伝導率が高い材料からなることが好ましい。
【００１８】
この構成によれば、保持部材が副鏡およびリフレクターよりも熱伝導率が高い材料からなるので、発光管から発せられ副鏡およびリフレクターに伝播される熱を保持部材により放出できる。これにより、熱による副鏡およびリフレクターの反射面の劣化を抑えることができる。
【００１９】
［適用例７］本適用例に係るプロジェクターは、上記に記載の光源装置を備える照明装置と、前記照明装置からの照明光を画像情報に応じて変調する電気光学変調装置と、前記電気光学変調装置からの変調光を投写する投写レンズと、を備えていることを特徴とする。
【００２０】
この構成によれば、輝度を低下させずに薄型化を図ることが可能であり、耐衝撃性の高い本発明の光源装置を備えるため、高輝度かつ薄型で、さらには耐衝撃性の高いプロジェクターを提供できる。
【図面の簡単な説明】
【００２１】
【図１】第１の実施形態に係るプロジェクターの概略構成を示す図。
【図２】第１の実施形態に係る光源装置の概略構成を示す図。
【図３】第１の実施形態に係る光源装置の概略構成を示す図。
【図４】第２の実施形態に係る光源装置の概略構成を示す図。
【図５】変形例１に係る光源装置の概略構成を示す図。
【図６】変形例２に係る光源装置の概略構成を示す図。
【発明を実施するための形態】
【００２２】
以下に、本実施の形態について図面を参照して説明する。なお、参照する各図面において、構成をわかりやすく示すため、各構成要素の寸法の比率、角度等は適宜異ならせてある。
【００２３】
（第１の実施形態）
＜プロジェクター＞
まず、第１の実施形態に係るプロジェクターについて、図１を参照して説明する。図１は、第１の実施形態に係るプロジェクターの概略構成を示す図である。
【００２４】
第１の実施形態に係るプロジェクター１０００は、図１に示すように、照明装置１００と、色分離導光光学系２００と、３つの集光レンズ３００Ｒ，３００Ｇ，３００Ｂと、電気光学変調装置としての３つの液晶装置４００Ｒ，４００Ｇ，４００Ｂと、クロスダイクロイックプリズム５００と、投写光学系６００と、冷却機構（図示省略）とを備えたプロジェクターである。
【００２５】
照明装置１００は、光源装置１０と、凹レンズ９０と、複数の第１小レンズ１２２を有する第１レンズアレイ１２０と、複数の第２小レンズ１３２を有する第２レンズアレイ１３０と、偏光変換素子１４０と、重畳レンズ１５０とを備えている。
【００２６】
光源装置１０は、発光管２０と、リフレクター３０と、副鏡４０と、保持部材５０とを備えている。リフレクター３０は、照明光軸ＯＣ上に第１焦点と第２焦点とを有する回転楕円面の一部である反射面３２ａ（図２参照）を有する。また、リフレクター３０の第１焦点は、発光管２０の発光部２２（図２参照）内に位置する。光源装置１０は、リフレクター３０の第２焦点に向かって集束する照明光束を射出する。
【００２７】
光源装置１０は、発光管２０が寿命となった場合等に、ユーザーが取り替え可能なように構成されている。光源装置１０において、光束が射出される側、すなわちリフレクター３０の開口側を被照明領域側とも呼ぶ。また、光源装置１０において、被照明領域側（開口側）とは反対側を背面側とも呼ぶ。光源装置１０の詳細構成については後述する。
【００２８】
凹レンズ９０は、光源装置１０の被照明領域側に配置されている。凹レンズ９０は、光源装置１０からの集束光を略平行光として、第１レンズアレイ１２０に向けて射出する。第１レンズアレイ１２０は、凹レンズ９０から射出される照明光束を複数の部分光束に分割する光束分割光学素子としての機能を有する。第１レンズアレイ１２０は、照明光軸ＯＣと略直交する面内にマトリクス状に配列される複数の第１小レンズ１２２を備えている。図示による説明は省略するが、第１小レンズ１２２の外形形状は、液晶装置４００Ｒ，４００Ｇ，４００Ｂの画像形成領域の外形形状に関して相似形である。
【００２９】
第２レンズアレイ１３０は、上述した第１レンズアレイ１２０により分割された複数の部分光束を集光するための光学素子である。第２レンズアレイ１３０は、第１レンズアレイ１２０の複数の第１小レンズ１２２に対応して、照明光軸ＯＣに略直交する面内にマトリクス状に配列される複数の第２小レンズ１３２を備えている。
【００３０】
偏光変換素子１４０は、第２レンズアレイ１３０からの各部分光束を、偏光方向の揃った略１種類の直線偏光に変換して射出する偏光変換素子である。偏光変換素子１４０は、光源装置１０からの照明光束に含まれる偏光成分のうち一方の直線偏光成分をそのまま透過し、他方の直線偏光成分を照明光軸ＯＣに垂直な方向に反射する偏光分離層と、偏光分離層で反射された他方の直線偏光成分を照明光軸ＯＣに平行な方向に反射する反射層と、反射層で反射された他方の直線偏光成分を一方の直線偏光成分に変換する位相差板とを有している。
【００３１】
重畳レンズ１５０は、第１レンズアレイ１２０、第２レンズアレイ１３０、および偏光変換素子１４０を経て射出される複数の部分光束を集光して液晶装置４００Ｒ，４００Ｇ，４００Ｂの画像形成領域近傍に重畳させるための光学素子である。なお、重畳レンズ１５０は、図１では１枚のレンズとして図示されているが、複数のレンズを組み合わせた複合レンズで構成されていてもよい。
【００３２】
色分離導光光学系２００は、ダイクロイックミラー２１０，２２０と、反射ミラー２３０，２４０，２５０と、入射側レンズ２６０と、リレーレンズ２７０とを有している。色分離導光光学系２００は、照明装置１００から射出される照明光束を赤色光、緑色光、および青色光の３つの色光に分離して、それぞれの色光を照明対象となる液晶装置４００Ｒ，４００Ｇ，４００Ｂに導く機能を有している。
【００３３】
ダイクロイックミラー２１０，２２０は、基板上に所定の波長領域の光束を反射し、他の波長領域の光束を透過する波長選択膜が形成された光学素子である。光路前段に配置されるダイクロイックミラー２１０は、赤色光成分を反射し、その他の色光成分を透過するミラーである。光路後段に配置されるダイクロイックミラー２２０は、緑色光成分を反射し、青色光成分を透過するミラーである。
【００３４】
ダイクロイックミラー２１０で反射された赤色光成分は、反射ミラー２３０により曲折され、集光レンズ３００Ｒを介して赤色光用の液晶装置４００Ｒの画像形成領域に入射する。集光レンズ３００Ｒは、重畳レンズ１５０からの各部分光束を各主光線に対して略平行な光束に変換するために設けられている。他の液晶装置４００Ｇ，４００Ｂの光路前段に配設される集光レンズ３００Ｇ，３００Ｂも、集光レンズ３００Ｒと同様に構成されている。
【００３５】
ダイクロイックミラー２１０を通過した緑色光成分および青色光成分のうち緑色光成分は、ダイクロイックミラー２２０によって反射され、集光レンズ３００Ｇを通過して緑色光用の液晶装置４００Ｇの画像形成領域に入射する。一方、青色光成分は、ダイクロイックミラー２２０を透過し、入射側レンズ２６０、入射側の反射ミラー２４０、リレーレンズ２７０、射出側の反射ミラー２５０、および集光レンズ３００Ｂを通過して青色光用の液晶装置４００Ｂの画像形成領域に入射する。入射側レンズ２６０、リレーレンズ２７０、および反射ミラー２４０，２５０は、ダイクロイックミラー２２０を透過した青色光成分を液晶装置４００Ｂまで導く機能を有している。
【００３６】
なお、青色光の光路にこのような入射側レンズ２６０、リレーレンズ２７０、および反射ミラー２４０，２５０が設けられているのは、青色光の光路の長さが他の色光の光路の長さよりも長いため、光の発散等による光の利用効率の低下を防止するためである。第１の実施形態に係るプロジェクター１０００においては、青色光の光路の長さが長いのでこのような構成とされているが、赤色光の光路の長さを長くして、入射側レンズ２６０、リレーレンズ２７０、および反射ミラー２４０，２５０を赤色光の光路に用いる構成としてもよい。
【００３７】
液晶装置４００Ｒ，４００Ｇ，４００Ｂは、色分離導光光学系２００で分離された３つの色光のそれぞれを画像情報に応じて変調するものであり、照明装置１００の照明対象となっている。図示を省略するが、各集光レンズ３００Ｒ，３００Ｇ，３００Ｂと各液晶装置４００Ｒ，４００Ｇ，４００Ｂとの間には、それぞれ入射側偏光板が配置され、各液晶装置４００Ｒ，４００Ｇ，４００Ｂとクロスダイクロイックプリズム５００との間には、それぞれ射出側偏光板が配置されている。
【００３８】
これら入射側偏光板、液晶装置４００Ｒ，４００Ｇ，４００Ｂ、および射出側偏光板によって、入射する各色光の光変調が行われる。液晶装置４００Ｒ，４００Ｇ，４００Ｂは、一対の透明なガラス基板に電気光学物質である液晶を密閉封入したものである。液晶装置４００Ｒ，４００Ｇ，４００Ｂは、例えば、ポリシリコンＴＦＴをスイッチング素子として、与えられた画像信号に応じて、入射側偏光板から射出された１種類の直線偏光の偏光方向を変調する。
【００３９】
クロスダイクロイックプリズム５００は、３つの液晶装置４００Ｒ，４００Ｇ，４００Ｂによって変調され、射出側偏光板から射出された色光毎に変調された光学像を合成してカラー画像を形成する光学素子である。クロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光および青色光は曲折され、緑色光の進行方向と揃えられることにより、３つの色光が合成される。
【００４０】
投写光学系６００は、クロスダイクロイックプリズム５００によって合成されたカラー画像をスクリーンＳＣＲ等の投写面に拡大投写する。これにより、スクリーンＳＣＲ等の投写面上に画像が形成される。
【００４１】
＜光源装置＞
次に、第１の実施形態に係る光源装置について、図２および図３を参照して説明する。図２および図３は、第１の実施形態に係る光源装置の概略構成を示す図である。詳しくは、図２（ａ）は光源装置１０の要部の構成を示す斜視図であり、図２（ｂ）は図２（ａ）中のＡ−Ａ’線に沿った断面図である。また、図３（ａ）は光源装置１０の側面図であり、図３（ｂ）は光源装置１０の背面図である。なお、図２（ａ）および（ｂ）では保持部材５０の図示を省略している。
【００４２】
以下では、プロジェクター１０００をいわゆる据え置き状態に配置する場合を例にとり説明する。図２（ａ），（ｂ）および図３（ａ），（ｂ）における光源装置１０の各構成要素の配置は、プロジェクター１０００の据え置き状態に対応している。なお、プロジェクター１０００の据え置き状態において、重力方向は、リフレクター３０側から副鏡４０側に向かう方向となる。
【００４３】
第１の実施形態に係る光源装置１０は、図２（ａ）および（ｂ）に示すように、発光管２０と、リフレクター３０と、副鏡４０と、保持部材５０（図３（ａ）および（ｂ）参照）とを備えている。
【００４４】
発光管２０は、照明光軸ＯＣに沿って配置された一対の電極を内蔵する発光部２２と、発光部２２の両側に接続され照明光軸ＯＣに沿って延在する一対の封止部２４，２６と、一対の封止部２４，２６内にそれぞれ封止された一対の金属箔と、一対の金属箔にそれぞれ電気的に接続された一対のリード線とを有している。リード線に電圧が印加されると、一対の電極間に電位差が発生し放電が生じアーク像が生成される。
【００４５】
一対の封止部２４，２６のうち、封止部２６は発光部２２の被照明領域側に配置されており、封止部２４は発光部２２の被照明領域側とは反対側、すなわち背面側に配置されている。封止部２４からは、一対のリード線のうちリード線２８が背面側に延出している。発光管２０は、封止部２４においてリフレクター３０に固定されている。
【００４６】
発光部２２および封止部２４，２６は、例えば石英ガラスからなり、一体に形成されている。発光部２２内には、水銀、希ガスおよび少量のハロゲンが封入されている。電極は、例えばタングステン電極であり、金属箔は、例えばモリブデン箔である。リード線は、例えばモリブデンまたはタングステンからなる。また、発光管２０としては、高輝度発光する種々の発光管を採用でき、例えば、高圧水銀ランプ、超高圧水銀ランプ、メタルハライドランプ等を採用できる。
【００４７】
リフレクター３０は、図２（ａ）に示すように、楕円面を照明光軸ＯＣを回転中心軸として回転させた楕円球の略１／４の形状を有している。つまり、楕円球のうち、照明光軸ＯＣに沿った方向における略１／２が削除されるとともに、照明光軸ＯＣを含む所定の平面Ｓで切断したとき、一方側、すなわち発光管２０に対して副鏡４０の側の端部３０ｚが削除された形状を有している。したがって、リフレクター３０の開口側（被照明領域側）の端部は、略半円形状である。以下、リフレクター３０の端部３０ｚが削除された側を一方側とも呼ぶ。
【００４８】
リフレクター３０は、図２（ａ）および（ｂ）に示すように、発光管２０に対向する内面側に反射面３２ａを有する反射部３２と、反射部３２に接続された第１の基部としての基部３４とを有している。反射部３２と基部３４とは、一体に形成されている。リフレクター３０の基材の材料としては、例えば、結晶化ガラスやアルミナ（Ａｌ2Ｏ3）等を好適に用いることができる。
【００４９】
反射部３２は、発光管２０に対して、第１焦点近傍に発光部２２が位置するように配置されている。反射部３２は、反射面３２ａにおいて、発光部２２から射出された光を被照明領域側の第２焦点位置に向けて反射する。反射面３２ａには、例えば、酸化チタン（ＴｉＯ2）と酸化シリコン（ＳｉＯ2）との誘電体多層膜からなる可視光反射層が形成されている。リフレクター３０の反射面３２ａとは反対側を外面側とも呼ぶ。
【００５０】
基部３４は、反射部３２の背面側に照明光軸ＯＣに沿って延在しており、発光管２０の封止部２４に対応して配置されている。基部３４は、例えば、照明光軸ＯＣに沿って延在する略円筒形のうち一方側の略１／２が削除された形状を有している。基部３４と封止部２４との間には接着剤Ｃが充填されており、基部３４と封止部２４とが互いに固着されている。これにより、発光管２０がリフレクター３０に固定されている。接着剤Ｃは、例えばセメントである。接着剤Ｃとして、セラミック系の耐熱接着剤等を用いてもよい。
【００５１】
副鏡４０は、発光管２０に対してリフレクター３０とは反対側、すなわちリフレクター３０の端部３０ｚが削除された一方側に位置している。副鏡４０は、発光管２０に対向する内面側に反射面４２ａを有する反射部４２と、反射部４２に接続された第２の基部としての基部４４とを有している。反射部４２と基部４４とは、一体に形成されている。副鏡４０は、例えば、硬質ガラスや石英ガラス等からなる。副鏡４０の材料は、金属であってもよい。
【００５２】
反射部４２は、例えば、球体のうちリフレクター３０側における略１／２が削除された略半球形状を有している。反射部４２は、発光管２０の発光部２２における一方側を覆うように配置されている。反射部４２は、反射面４２ａにおいて、発光部２２から射出される光を発光部２２へ向けて反射する。つまり、副鏡４０は、反射面４２ａがリフレクター３０の反射面３２ａと対向するように配置されている。反射面４２ａには、例えば、酸化タンタル（Ｔａ2Ｏ5）と酸化シリコン（ＳｉＯ2）との誘電体多層膜からなる反射層が形成されている。副鏡４０の反射面４２ａとは反対側を外面側とも呼ぶ。
【００５３】
基部４４は、反射部４２の背面側に照明光軸ＯＣに沿って延在しており、発光管２０の封止部２４に対応して配置されている。基部４４は、例えば、照明光軸ＯＣに沿って延在する円筒形のうちリフレクター３０側の略１／２が削除された形状を有している。基部４４と封止部２４との間には接着剤Ｃが充填されており、基部４４と封止部２４とが互いに固着されている。これにより、副鏡４０が発光管２０に固定されている。
【００５４】
第１の実施形態に係る光源装置１０の構成によれば、リフレクター３０の一方側の端部３０ｚが削除されているので、光源装置１０を薄型化することができる。また、その一方で、発光部２２の一方側を覆うように副鏡４０が配置されており、発光管２０から副鏡４０側に射出される光を反射して有効利用できるので、リフレクター３０の一方側が削除されたことによる輝度の低下が抑えられる。
【００５５】
保持部材５０は、図３（ａ）および（ｂ）に示すように、光源装置１０における背面側に、発光管２０の封止部２４に対応して配置されている。保持部材５０は、例えば、照明光軸ＯＣに沿って延在する筒形のうち副鏡４０とは反対側の一部が削除された形状を有しており、リフレクター３０と副鏡４０とに跨るように設けられている。より具体的には、保持部材５０は、基部４４の外面側から基部３４における副鏡４０とは反対側の一部を除く部分の外面側に亘って設けられている。
【００５６】
保持部材５０は、例えば、メッシュ状に形成されている。保持部材５０をメッシュ状とすることで、板状部材等で形成される場合に比べて、同じ領域を覆う構成であっても重量を軽くすることができる。保持部材５０は、リフレクター３０および副鏡４０よりも高い熱伝導率を有する材料からなる。保持部材５０の材料としては、例えば、アルミニウム合金、マグネシウム合金等の金属を好適に用いることができる。
【００５７】
保持部材５０を高い熱伝導率を有する材料で構成することにより、発光管２０からリフレクター３０や副鏡４０に伝播される熱を保持部材５０から放出できる。このため、反射面３２ａ，４２ａに形成された反射層の熱による劣化とそれに起因する反射率の低下とを抑えることができる。また、リフレクター３０や副鏡４０に伝播される熱を放出させることで、発光管２０の過熱を抑え、封止部２４，２６内に封止された金属箔の熱による劣化を抑えることができる。
【００５８】
基部３４および基部４４の外面側の保持部材５０に覆われた部分と保持部材５０との間には、接着剤Ｃが配置されている。保持部材５０がメッシュ状であるので、接着剤Ｃはメッシュの開口部にも回り込むように配置されている。基部３４および基部４４と保持部材５０とは、接着剤Ｃを介して互いに固着されている。これにより、リフレクター３０および副鏡４０と保持部材５０とが接着剤Ｃを介して互いに固定される。
【００５９】
ここで、発光管２０はリフレクター３０および副鏡４０に固定されているので、発光管２０とリフレクター３０と副鏡４０とが保持部材５０および接着剤Ｃにより一体として固定され保持される、ということもできる。また、接着剤Ｃは保持部材５０により覆われるとともに保持部材５０のメッシュの開口部に回り込むので、基部３４および基部４４等から接着剤Ｃが剥がれ落ちることが抑えられる。
【００６０】
ところで、プロジェクター１０００の据え置き状態においては、発光管２０はリフレクター３０よりも重力方向下側に位置し、副鏡４０は発光管２０よりも重力方向下側に位置する。したがって、副鏡４０を発光管２０から落下させる方向に重力が働くこととなるため、光源装置１０が保持部材５０を備えていない構成であった場合、衝撃や振動等により副鏡４０が発光管２０から脱落するおそれがあり、発光管２０が副鏡４０とともにリフレクター３０から脱落することも考えられる。
【００６１】
これに対して、第１の実施形態に係る光源装置１０の構成によれば、発光管２０、リフレクター３０、および副鏡４０が、保持部材５０および接着剤Ｃにより一体として保持される。これにより、副鏡４０が発光管２０から脱落し難くなり、発光管２０がリフレクター３０から脱落し難くなるとともに、振動や衝撃に対する耐性が向上する。
【００６２】
プロジェクター１０００をいわゆる天吊り状態に配置する場合においては、各構成要素の重力方向における位置関係が反転する。しかしながら、発光管２０、リフレクター３０、および副鏡４０が、保持部材５０および接着剤Ｃにより一体として保持されるので、プロジェクター１０００を天吊り状態に配置する場合においても、据え置き状態の場合と同様の効果が得られる。
【００６３】
なお、接着剤Ｃは、図３（ｂ）に示すように、保持部材５０に囲まれた発光管２０（封止部２４）、リフレクター３０（基部３４）、および副鏡４０（基部４４）と保持部材５０との間に充填されていることが好ましい。このようにすることで、発光管２０、リフレクター３０、および副鏡４０をより強固に保持することができる。
【００６４】
第１の実施形態に係る光源装置１０の構成によれば、以下のような効果が得られる。
【００６５】
（１）輝度の低下を抑えて薄型化を図るとともに、発光管２０とリフレクター３０と副鏡４０とが保持部材５０および接着剤Ｃにより一体として保持されるので、副鏡４０および発光管２０が脱落し難く振動や衝撃に対する耐性が高い光源装置を提供できる。
【００６６】
（２）保持部材５０をメッシュ状とすることで、重量を軽くすることができる。また、接着剤Ｃがメッシュの開口部に回り込むので、接着剤Ｃの剥がれ落ちが抑えられる。
【００６７】
（３）保持部材５０が高い熱伝導率を有するので、発光管２０からリフレクター３０や副鏡４０に伝播される熱を放出できる。これにより、反射層や金属箔の熱による劣化を抑えることができる。
【００６８】
（第２の実施形態）
＜光源装置＞
次に、第２の実施形態に係る光源装置について、図４を参照して説明する。第２の実施形態に係る光源装置は、第１の実施形態に係る光源装置に対して、保持部材の形状が異なっているが、その他の構成は同じである。
【００６９】
図４は、第２の実施形態に係る光源装置の概略構成を示す図である。詳しくは、図４（ａ）は第２の実施形態に係る光源装置１２の側面図であり、図４（ｂ）は光源装置１２の背面図である。なお、上記実施形態と共通する構成要素については、同一の符号を付しその説明を省略する。
【００７０】
第２の実施形態に係る光源装置１２は、図４（ａ）および（ｂ）に示すように、発光管２０と、リフレクター３０と、副鏡４０と、保持部材５２とを備えている。保持部材５２は、照明光軸ＯＣに沿って延在する筒状部５２ａと、筒状部５２ａの背面側に接続された背面部５２ｂとを有している。背面部５２ｂには、封止部２４から延出するリード線２８を通すための開口部５２ｃ（図４（ｂ）参照）が設けられている。
【００７１】
保持部材５２の筒状部５２ａは、基部３４の外面側と基部４４の外面側とを覆っている。また、背面部５２ｂは、封止部２４と基部３４と基部４４との背面側におけるそれぞれの端面を覆っている。保持部材５２と、封止部２４、基部４４、および基部３４との間には、接着剤Ｃが配置されている。保持部材５２は、第１の実施形態における保持部材５０と同様に、リフレクター３０および副鏡４０よりも高い熱伝導率を有する材料を用いてメッシュ状に形成されている。
【００７２】
第２の実施形態に係る保持部材５２の構成によれば、第１の実施形態に比べて、保持部材５２に覆われる範囲をより広くできるので、接着剤Ｃが配置される領域をより大きくすることができる。そして、封止部２４、基部３４、および基部４４の背面側の端面が保持部材５２および接着剤Ｃにより互いに固定されるので、照明光軸ＯＣに沿った方向、すなわち重力方向とは異なる方向に振動や衝撃が加えられた場合でも、発光管２０、リフレクター３０、および副鏡４０を一体として固定して保持できる。これにより、発光管２０、リフレクター３０、および副鏡４０をより強固に固定し保持することができる。
【００７３】
また、第１の実施形態に比べて、保持部材５２の表面積が大きくなるので、保持部材５２による放熱効果が向上する。これにより、反射層や金属箔の熱による劣化をより効果的に抑えることができる。さらに、発光管２０の背面側に保持部材５２（背面部５２ｂ）および接着剤Ｃが配置されるので、接着剤Ｃとして遮光性を有する接着剤を用いることで、発光部２２から射出され背面側に漏れる光を遮ることができる。
【００７４】
なお、保持部材５２とリード線２８とは、接着剤Ｃあるいは絶縁部材等により絶縁されている。保持部材５２は、例えば光源装置１２のグラウンド等の所定の電位に電気的に接続されていてもよい。また、必要に応じて、保持部材５２とリード線２８とが電気的に接続された構成とすることも可能である。
【００７５】
第２の実施形態に係る光源装置１２の構成によれば、第１の実施形態に係る光源装置１０と同様の効果が得られるとともに、第１の実施形態に係る光源装置１０に比べてさらに以下のような効果が得られる。
【００７６】
（１）保持部材５２でより広い範囲を覆うとともに背面側の端面を覆うことにより、発光管２０、リフレクター３０、および副鏡４０がより強固に保持されるので、副鏡４０および発光管２０の脱落をより確実に抑え、振動や衝撃に対する耐性をより一層向上させることができる。
【００７７】
（２）保持部材５２の表面積をより大きくすることにより、保持部材５２による放熱効果が向上するので、反射層や金属箔の熱による劣化をより効果的に抑えることができる。
【００７８】
（３）発光管２０の背面側に保持部材５２および接着剤Ｃが配置されるので、背面側への光漏れを抑えることができる。
【００７９】
以上、本発明の光源装置およびプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００８０】
（変形例１）
上記実施形態の光源装置の構成では、保持部材がメッシュ状に形成されていたが、本発明はこの形態に限定されない。保持部材が異なる構成を有していてもよい。図５は、変形例１に係る光源装置の概略構成を示す図である。詳しくは、図５（ａ）は光源装置の側面図であり、図５（ｂ）は光源装置の背面図である。なお、上記実施形態と共通する構成要素については、同一の符号を付しその説明を省略する。
【００８１】
変形例１に係る光源装置１４は、図５（ａ）および（ｂ）に示すように、発光管２０と、リフレクター３０と、副鏡４０と、保持部材５４とを備えている。保持部材５４は、金属からなる板状の部材を、照明光軸ＯＣに沿った方向における断面が略Ｃ字状をなすように湾曲させて形成されている。保持部材５４は、基部４４の外面側から基部３４における副鏡４０とは反対側の一部を除く部分の外面側に亘って設けられている。基部３４および基部４４と保持部材５４との間には、接着剤Ｃが配置されている。
【００８２】
変形例１に係る光源装置１４の構成においても、発光管２０、リフレクター３０、および副鏡４０が、保持部材５４および接着剤Ｃにより一体として保持される。これにより、副鏡４０や発光管２０が脱落し難くなるとともに、振動や衝撃に対する耐性が向上する。また、保持部材５４を熱伝導率が高い材料で構成することにより、発光管２０からリフレクター３０や副鏡４０に伝播される熱を放出できる。
【００８３】
なお、保持部材５４を、照明光軸ＯＣに沿った方向における断面が環状に形成された構成としてもよい。
【００８４】
（変形例２）
続いて、変形例２を説明する。図６は、変形例２に係る光源装置の概略構成を示す図である。詳しくは、図６（ａ）は光源装置の側面図であり、図６（ｂ）は光源装置の背面図である。なお、上記実施形態と共通する構成要素については、同一の符号を付しその説明を省略する。
【００８５】
変形例２に係る光源装置１６は、図６（ａ）および（ｂ）に示すように、発光管２０と、リフレクター３０と、副鏡４０と、保持部材５６とを備えている。保持部材５６は、金属を材料とする線状部材を用いてコイル形に形成されている。保持部材５６の線状部材は、副鏡４０の基部４４とリフレクター３０の基部３４との周囲に複数回巻き回されるように設けられている。基部３４および基部４４と保持部材５６との間には、接着剤Ｃが配置されている。接着剤Ｃは、保持部材５６の線状部材同士の間にも回り込むように配置されている。
【００８６】
変形例２に係る光源装置１６の構成においても、発光管２０、リフレクター３０、および副鏡４０が、保持部材５６および接着剤Ｃにより一体として保持される。これにより、副鏡４０や発光管２０が脱落し難くなるとともに、振動や衝撃に対する耐性が向上する。また、保持部材５６を熱伝導率が高い材料で構成することにより、発光管２０からリフレクター３０や副鏡４０に伝播される熱を放出できる。
【００８７】
なお、保持部材５６を、基部４４と基部３４との周囲に複数回巻き回された線状部材の両端が互いに接続された構成としてもよい。
【００８８】
（変形例３）
上記実施形態のプロジェクターの構成では、光均一化光学系として第１レンズアレイおよび第２レンズアレイからなるレンズインテグレーター光学系を用いたが、本発明はこれに限定されるものではない。光均一化光学系として、例えば、導光ロッドからなるロッドインテグレーター光学系を用いることもできる。
【００８９】
（変形例４）
上記実施形態におけるプロジェクターは透過型のプロジェクターであるが、本発明はこれに限定されるものではない。例えば、反射型のプロジェクターであってもよい。ここで、「透過型」とは、透過型の液晶装置等のように光変調手段としての電気光学変調装置が光を透過するタイプであることを意味しており、「反射型」とは、反射型の液晶装置等のように光変調手段としての電気光学変調装置が光を反射するタイプであることを意味している。反射型のプロジェクターに本発明を適用した場合にも、透過型のプロジェクターと同様の効果を得ることができる。  
【００９０】
（変形例５）
上記実施形態におけるプロジェクターは３つの液晶装置を用いたプロジェクターであるが、本発明はこれに限定されるものではない。本発明は、例えば、１つ、２つまたは４つ以上の液晶装置を用いたプロジェクターにも適用することができる。
【００９１】
（変形例６）
上記実施形態のプロジェクターの構成では、電気光学変調装置として液晶装置を用いているが、本発明はこれに限定されるものではない。電気光学変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【００９２】
（変形例７）
本発明は、投写画像を観察する側から投写するフロント投写型プロジェクター、および、投写画像を観察する側とは反対の側から投写するリア投写型プロジェクターに適用することが可能である。
【００９３】
（変形例８）
上記実施形態においては、本発明の光源装置をプロジェクターに適用した例について説明したが、本発明はこれに限定されるものではない。本発明の光源装置を、例えば、光ディスク装置等他の光学機器に適用することもできる。
【符号の説明】
【００９４】
１０，１２，１４，１６…光源装置、２０…発光管、２２…発光部、２４…封止部、３０…リフレクター、３４…第１の基部としての基部、４０…副鏡、４４…第２の基部としての基部、５０，５２，５４，５６…保持部材、１００…照明装置、１２０…第１レンズアレイ、１２２…第１小レンズ、１３０…第２レンズアレイ、１３２…第２小レンズ、１４０…偏光変換素子、１５０…重畳レンズ、２００…色分離導光光学系、２１０，２２０…ダイクロイックミラー、２３０，２４０，２５０…反射ミラー、２６０…入射側レンズ、２７０…リレーレンズ、３００Ｒ，３００Ｇ，３００Ｂ…集光レンズ、４００Ｒ，４００Ｇ，４００Ｂ…電気光学変調装置としての液晶装置、５００…クロスダイクロイックプリズム、６００…投写光学系、１０００…プロジェクター。
【図１】
2011119049.tif 000003
【図２】
2011119049.tif 000004
【図３】
2011119049.tif 000005
【図４】
2011119049.tif 000006
【図５】
2011119049.tif 000007
【図６】
2011119049.tif 000008